(57)【要約】【課題】雨水がケラバから落下しにくく、美観に優れる建築物を構築し易いケラバカバー材及び屋根構造を提供すること。【解決手段】ケラバカバー材５０は、屋根下地と屋根材とを備えた屋根のケラバをカバーする。また、ケラバカバー材５０が、ケラバに設置された状態で、ケラバの上面をカバーする上面カバー片５２と、上面カバー片５２よりも内外方向の内側に位置する部分を有し、屋根下地と屋根材との間に位置する内側水切り片６１と、上面カバー片５２の外側端から下方のみに延びてケラバの側面をカバーする側面カバー片５１と、上面カバー片５２の外側端よりも内側の位置から上方に突出する突条片５５と、を備える。【選択図】図３
2020165192.tif 000002
【特許請求の範囲】
【請求項１】
屋根下地と屋根材とを備えた屋根のケラバをカバーするケラバカバー材であって、
上記ケラバに設置された状態で、
上記ケラバの上面をカバーする上面カバー片と、
上記上面カバー片よりも内外方向の内側に位置する部分を有し、上記屋根下地と上記屋根材との間に位置する内側水切り片と、
上記上面カバー片の外側端から下方のみに延びて上記ケラバの側面をカバーする側面カバー片と、
上記上面カバー片の外側端よりも内側の位置から上方に突出する突条片と、を備えた、
ケラバカバー材。
【請求項２】
上記突条片の高さ方向の寸法が、上記側面カバー片の上記高さ方向の寸法よりも小さい、請求項１のケラバカバー材。
【請求項３】
上記突条片が、上記上面カバー片の上記内外方向の中央よりも内側に位置する、
請求項１又は２のケラバカバー材。
【請求項４】
上記突条片が、上記内外方向において、上記屋根材の端部と略同じ位置にある、
請求項３のケラバカバー材。
【請求項５】
上記上面カバー片の外側端が、上記内外方向において、上記ケラバの外側端と略同じ位置にある、
請求項１乃至４のいずれか１つに記載のケラバカバー材。
【請求項６】
請求項１乃至５のいずれか１つに記載のケラバカバー材が上記ケラバをカバーしている、
屋根構造。
【発明の詳細な説明】
【技術分野】
【０００１】
本開示は、建築物の屋根構造に含まれるケラバカバー材に関する。また、本開示は、屋根構造に関する。
【背景技術】
【０００２】
従来、屋根構造としては、特許文献１に記載されているものがある。この屋根構造は、屋根葺材のケラバ側の端部を覆うように配置されるケラバカバー材を備える。ケラバカバー材は、屋根葺材のケラバ側の端部上面を覆う上面板、上面板のケラバ側の端部から垂直下方に延設される側面板、ケラバ側の端部から垂直上方に立設する立設板、及び立設板の軒側の端部から軒先に沿うように延びる案内板を有する。立設板は、風でケラバ側に吹き流された水滴を遮ることでその水滴がケラバから下方に流れ落ちることを阻止している。また、案内板は、その棟側の面に到達した雨水を軒の中央側に案内する役割を有する。案内板を設けることで、雨水を軒の中央側に移動させることができ、雨樋の長さを短くできる。
【先行技術文献】
【特許文献】
【０００３】
【特許文献１】特開平８−１３５１１９号公報
【発明の概要】
【発明が解決しようとする課題】
【０００４】
上記屋根構造では、立設板を乗り越えた雨水の全てが地上に落下する。また、外側の雨水がそのまま落下する。また、製造コストの低減等の目的で、ケラバカバー材から案内板を省略した場合、立設板の内側面に沿って下側に流下した雨水を確実に収容するため、雨樋や集水桝の集水口をケラバよりも外側まで設ける必要があり、美観も良くない。
【０００５】
そこで、本開示の目的は、雨水がケラバから落下しにくく美観に優れる建築物を構築できるケラバカバー材、及び屋根構造を提供することにある。
【課題を解決するための手段】
【０００６】
本開示に係るケラバカバー材は、屋根下地と屋根材とを備えた屋根のケラバをカバーするケラバカバー材であって、ケラバに設置された状態で、ケラバの上面をカバーする上面カバー片と、上面カバー片よりも内外方向の内側に位置する部分を有し、屋根下地と屋根材との間に位置する内側水切り片と、上面カバー片の外側端から下方のみに延びてケラバの側面をカバーする側面カバー片と、上面カバー片の外側端よりも内側の位置から上方に突出する突条片と、を備える。
【発明の効果】
【０００７】
本開示に係るケラバカバー材及び屋根構造によれば、雨水がケラバから落下しにくく、美観に優れる建築物を構築し易い。
【図面の簡単な説明】
【０００８】
【図１】家屋の一部を示す斜視図であり、本開示の一実施形態に係るケラバカバー材を含む屋根構造の概要を説明する斜視図である。
【図２】上記ケラバカバー材の斜視図である。
【図３】上記ケラバカバー材を別の方向から見たときの斜視図である。
【図４】上記ケラバカバー材を取り外した状態の屋根構造における図１に対応する斜視図である。
【図５】上記屋根構造を流下する雨水の流れについて説明する図である。
【図６】変形例のケラバカバー材の斜視図である。
【図７】別の変形例のケラバカバー材を正面から見たときの、そのケラバカバー材の骨組を表す模式図である。
【図８】更なる変形例のケラバカバー材を正面から見たときの、そのケラバカバー材の骨組を表す模式図である。
【発明を実施するための形態】
【０００９】
以下に、本開示に係る実施の形態について添付図面を参照しながら詳細に説明する。なお、以下において複数の実施形態や変形例などが含まれる場合、それらの特徴部分を適宜に組み合わせて新たな実施形態を構築することは当初から想定されている。また、図面において、Ｘ方向は、軒棟方向を示し、Ｙ方向は、内外方向を示し、Ｚ方向は、鉛直方向を示す。内外方向は、軒棟方向に直交する方向であって、屋根下地の上面に含まれる。また、以下の実施例では、図面において同一構成に同一符号を付し、重複する説明を省略する。また、複数の図面には、模式図が含まれ、異なる図間において、各部材における、縦、横、高さ等の寸法比は、必ずしも一致しない。
【００１０】
また、以下の説明で、ケラバカバー材５０,１５０の説明に関して、鉛直方向に関連する文言、例えば、鉛直方向、水平方向、上側、下側等が用いられた場合、それは、ケラバカバー材５０,１５０が建造物に適切に設置された状態で表現されているものとする。また、以下では、建築物が、家屋である場合について説明するが、建築物は、屋根がある建物であれば如何なる建物でもよい。また、以下では、ケラバカバー材５０を含む屋根構造１が、切妻屋根に含まれる場合を例に説明を行う。しかし、本開示のケラバカバー材は、越し屋根、招き造り屋根、片流れ屋根、入母屋屋根、越折れ屋根、差し掛け屋根、又は鋸屋根等に含まれてもよい。また、以下で説明される構成要素のうち、最上位概念を示す独立請求項に記載されていない構成要素については、任意の構成要素であり、必須の構成要素ではない。
【００１１】
図１は、建築物の一例としての家屋５の一部を示す斜視図であり、本開示の一実施形態に係るケラバカバー材５０を含む屋根構造１の概要を説明する斜視図である。図１に示すように、屋根構造１は、屋根下地（図示せず）、複数の屋根材１０、複数の導水板２０、及びケラバカバー材５０を備える。屋根下地は、野地板等で構成される。また、屋根材１０は、如何なる屋根材でもよいが、例えば、セメントで構成される平板状のスレート、陶器で構成される平板状の瓦、又は金属製の瓦等で好適に構成される。また、導水板２０及びケラバカバー材５０は、如何なる材料で構成されてもよいが、好ましくは金属材料で構成される。導水板２０及びケラバカバー材５０の少なくとも一方は、雨水や太陽光による劣化が少ない高耐候性を有する素材で被覆されてもよく、例えば、フッ素塗装等で設けられた被覆部を有してもよい。
【００１２】
屋根材１０及び導水板２０の夫々は、締結部材、例えば、釘、ねじ、又はビス等で屋根下地に取り付けられる。屋根材１０及び導水板２０は、内外方向に関して、例えば、隣り合うように複数配置される。また、図１に示す例では、屋根材１０の外露出部１０ａと導水板２０の外部露出部２０ａは、例えば、軒棟方向に交互に配置されているが、そのように配置されなくてもよい。
【００１３】
各導水板２０は、複数の突条部２１を含む。複数の突条部２１は、軒棟方向に互いに間隔をおいて配置され、各突条部２１は、屋根下地の上面の法線方向に上側に突出し、内外方向に延在する。また、ケラバカバー材５０は、屋根構造１の内外方向の端部に配置され、屋根下地と屋根材とを備えた屋根のケラバをカバーする。より詳しくは、ケラバカバー材５０は、屋根下地のケラバ側（妻側）の端部に沿って葺設された屋根材１０のケラバ側端部、のぼり木７１（図４参照）におけるケラバ側の側面７１ｂ（図４参照）、及び破風７５（図４参照）の上部を覆う。ケラバカバー材５０は、側面視が矩形状の突条片５５を含み、突条片５５は、鉛直方向に突出すると共に軒棟方向に延在する。各導水板２０は、突条片５５に対して内外方向に間隔をおいて配置され、その結果、導水板２０と突条片５５の間には、雨水を下方に流すための通路３が設けられる。通路３は、屋根材１０の上面等で構成されて棟から軒先まで軒棟方向に延在する。
【００１４】
図２は、ケラバカバー材５０の斜視図であり、図３は、ケラバカバー材５０を別の方向から見たときの斜視図である。図２に示すように、ケラバカバー材５０は、α方向に延在する細長い形状を有し、ケラバカバー材５０の高さ方向であるγ方向と、α方向及びγ方向に直交するβ方向と、を含む切断面の形状は、α方向の位置によらず略同一になっている。上述の突条片５５は、α方向に延在し、β方向は、ケラバカバー材５０の幅方向に一致する。ケラバカバー材５０が家屋５に適切に設置された状態で、α方向は、軒棟方向に一致し、β方向は、内外方向に一致し、γ方向は、鉛直方向に一致する。
【００１５】
図３に示すように、ケラバカバー材５０は、ケラバに設置された状態で、ケラバの上面をカバーする上面カバー片５２と、上面カバー片５２よりも内外方向の内側に位置する部分を有し、屋根下地と屋根材１０との間に位置する内側水切り片６１と、上面カバー片５２の外側端から下方のみに延びてケラバの側面をカバーする側面カバー片５１と、上面カバー片５２の外側端よりも内側の位置から上方に突出する突条片５５と、を備える。また、突条片５５の高さ方向の寸法は、側面カバー片５１の高さ方向の寸法よりも小さくなっている。また、突条片５５が、上面カバー片５２の内外方向の中央よりも内側に位置している。また、突条片５５が、内外方向において、一つの屋根材１０の端部と略同じ位置にある。また、上面カバー片５２の外側端が、内外方向において、ケラバの外側端と略同じ位置にある。
【００１６】
詳しくは、ケラバカバー材５０は、長尺矩形状の金属板を折り曲げ加工して形成されると好ましい。ケラバカバー材５０は、側面カバー片５１、第１上面カバー片５３、突条片５５、及び内側水切り片６１に加えて、第２上面カバー片５７と、側面対向片５９を備える。上面カバー片５２は、第１上面カバー片５３と、第２上面カバー片５７を含む。側面カバー片５１は、金属板の一方の長辺を下方にした状態で、屋根下地７０を構成するのぼり木７１（図４参照）、野地板７３（図４参照）、破風７５（図４参照）の上部を側方から覆うことが可能なγ方向寸法を有する。側面カバー片５１は平板形状を有し、側面カバー片５１の幅方向は、γ方向に略一致し、側面カバー片５１の長手方向は、α方向に略一致する。側面カバー片５１は、下端部を内側にハゼ折りとすることが好ましく、その場合、その下端部で下方へ落ちる水滴の水切りを効果的に実行できる。第１上面カバー片５３は、例えば、側面カバー片５１の上端部を略直角に折り曲げることで形成される。第１上面カバー片５３の幅方向は、β方向に一致し、のぼり木７１の上面を覆うことが可能なβ方向寸法を有する。β方向は、側面カバー片５１の延在方向に直交する内外方向に略一致する。
【００１７】
突条片５５は、２重に重ねられた第１及び第２板状部５５ａ及び５５ｂを含む。第１板状部５５ａは、第１上面カバー片５３のβ方向の屋根構造１の中央側（以下、屋根構造１の中央側を単に中央側という）の端部を略直角に上側に折り曲げることで形成され、第２板状部５５ｂは、第１板状部５５ａの上端部を略１８０°折り返すことで形成される。第１及び第２板状部５５ａ,５５ｂの夫々は、鉛直方向に突出し、その結果、突条片５５も鉛直方向に突出する。突条片５５のγ方向の高さは、如何なる高さでもよく、第１上面カバー片５３におけるβ方向の寸法よりも小さくてもよい。
【００１８】
第２上面カバー片５７は、第１及び第２板状部５７ａ及び５７ｂを含む。第１板状部５７ａは、突条片５５の第２板状部５５ｂの下端部をβ方向の中央側に折り曲げることで形成される。第１板状部５７ａは、β方向の中央側に延在していればよく、β方向に略平行に延在する。また、第２板状部５７ｂは、第１板状部５７ａのβ方向の中央側の端部を、折り返すことで形成される。第２板状部５７ｂは、屋根材１０の内外方向の端部を上方から覆い、第２板状部５７ｂの下面は、屋根材１０の端部の上面の少なくとも一部に鉛直方向に対向する。
【００１９】
第１板状部５７ａの下面と第２板状部５７ｂの上面は、金属板が挿入可能な程度の隙間を介してγ方向に対向すると好ましい。また、図３に示すように、第２板状部５７ｂが、β方向のケラバ側に行くにしたがって下方に移動するように傾斜すると、屋根材１０と第２板状部５７ｂの下面との間に浸入した雨水を下方に流下させ易くなる。よって、雨水が、屋根材１０と第２板状部５７ｂの下面との間に長期間溜まりにくくて、屋根材１０や第２板状部５７ｂが腐食を引き起こしにくい。また、第２板状部５７ｂが、そのように傾斜すると、第２板状部５７ｂが、屋根材１０を内外方向の側面対向片５９側に差し込むときのガイドとなる。よって、屋根材１０を内外方向の側面対向片５９側に差し込み易い。
【００２０】
側面対向片５９は、第２板状部５７ｂのβ方向のケラバ側の端部をγ方向下側に折り曲げることで形成される。内外方向に関して、側面対向片５９は、屋根材１０とのぼり木７１（図４参照）の間に位置する。また、内側水切り片６１は、側面対向片５９の下端部をβ方向中央側にβ方向に一致するように折り曲げることで形成される。内側水切り片６１の幅方向は、β方向に略一致し、内側水切り片６１は、α方向に延在する。
【００２１】
図３に示すように、内側水切り片６１は、複数の突条部６３を有すると好ましい。複数の突条部６３は、β方向に間隔をおいて配置され、内側水切り片６１のα方向の一端から他端まで形成される。また、内側水切り片６１におけるβ方向中央側の端部６１ａを、上側にハゼ折りすると好ましい。
【００２２】
第２上面カバー片５７、側面対向片５９、及び内側水切り片６１は、β方向中央側に開口する凹部６８を画定する。ケラバカバー材５０が、家屋５に適切に設置されている状態で、凹部６８には、屋根材１０の内外方向のケラバ側の端部が収容される。複数の突条部６３、及びハゼ折りされた端部６１ａは、例えば、次の目的で設けられる。詳しくは、凹部６８の内面と屋根材１０との間に浸入した雨水が、内外方向の中央側に移動すると好ましくない。突条部６３やハゼ折りされた端部６１ａは、凹部６８の内面と屋根材１０との間に浸入した雨水が内外方向の中央側に移動することを抑制し、当該雨水を軒棟方向に棟側から軒側に流動させるために設けられる。
【００２３】
次に、ケラバカバー材５０の設置について説明する。図４は、ケラバカバー材５０を取り外した状態の屋根構造１における図１に対応する斜視図である。図４に示すように、屋根構造１は、内外方向のケラバ側の端部にのぼり木７１を備え、のぼり木７１は、軒棟方向に延在する。また、のぼり木７１における内外方向の中央側の側面と、屋根材１０において内外方向に延在する側面とは、間隔をおいて内外方向に対向し、図４に示す状態で、野地板７３の一部７３ａが外部に露出する。
【００２４】
図３及び図４を参照して、先ず、最も内外方向のケラバ側に位置する屋根材１５の内外方向のケラバ側の端部を、ケラバカバー材５０の凹部６８に差し込む。この状態で、第１上面カバー片５３が、のぼり木７１の上面７１ａを覆い、側面カバー片５１が、のぼり木７１の側面７１ｂ、破風７５の上部を側方から覆った状態となる。また、突条片５５が、屋根材１５の上面よりも鉛直方向上側に突出した状態となる。その後、例えば、釘を側面カバー片５１の内外方向外側から側面カバー片５１及びのぼり木７１の側面７１ｂに打ち込むことで、ケラバカバー材５０がのぼり木７１に固定され、屋根構造１が形成される。
【００２５】
次に、図５を用いて、屋根構造１を流下する雨水の流れについて説明する。雨水は、例えば、図５に矢印δで示す経路で屋根構造１の上面上を流下する。詳しくは、降雨によって棟側から軒側に軒棟方向に流下して導水板２０に到達した雨水は、雨量に基づいて導水板２０の突条部２１を１つも乗り越えないか、又は１以上の突条部２１を乗り越える。例えば、図５には、雨水の一部が上側から２つの突条部２１を乗り越える場合が図示されている。この場合、雨水の一部は、最も棟側の突条部２１における棟側の側面で内外方向の端側に案内されて、上述の通路３に到達する。また、他の雨水の一部は、最も棟側の突条部２１を乗り超え、棟側から数えて２番目の突条部２１における棟側の側面で内外方向の端側に案内されて、上述の通路３に到達する。また、更なる他の雨水の一部は、棟側から数えて２つの突条部２１を乗り越え、棟側から数えて３番目の突条部２１における棟側の側面で内外方向の端側に案内されて、上述の通路３に到達する。そして、異なる３つのルートを通って通路３に到達した雨水は、軒棟方向に延在する通路３を軒側に流下する。なお、通路３の一部は、第２上面カバー片５７の第１板状部５７ａ（図３参照）の上面で構成される。
【００２６】
図５に示すように、家屋５は、例えば、建物の軒先側の壁部６０に取り付けられた集水桝６５と、集水桝６５の下側端部に接続された竪樋６７を備える。集水桝６５は、その集水口６９の内外方向の存在範囲が通路３の内外方向の存在範囲を含むように壁部６０に取り付けている。このため、雨水は、通路３に沿って流下して通路３の軒先に到達した後に集水口６９に効率良く流入する。集水口６９から集水桝６５内に流入した雨水は、竪樋６７を通過した後、地上又は下水の方に流れるようになっている。
【００２７】
また、ケラバカバー材５０が、内外方向のケラバ側の端部に設置されているので、雨水がケラバ側から外部に飛散することを抑制できる。詳しくは、突条片５５が、通路３の内外方向の端側の側面を画定し、鉛直方向に突出すると共に軒棟方向に延在している。したがって、雨水が豪雨時等に突条部２１の側面を伝って通路３側に内外方向に勢い良く飛び出したとしても、突条片５５に衝突して通路３側にはね返される。よって、通路３側に勢い良く飛び出した雨水が、家屋の外部にそのまま飛散することを効果的に抑制できる。なお、ケラバカバー材５０は、屋根構造１の妻側の端部を化粧する役割も担っている。
【００２８】
図５に示すように、屋根構造１では、軒棟方向の棟側に配置される棟側導水板３０の複数の突条部２１に関し、突条部２１の法線方向（屋根下地の上面の法線方向）の高さが、軒側に行くにしたがって高くなっている。したがって、隣り合う突条部２１間のスペースで収容しきれなくなって、その突条部２１を乗り越えて軒側にこぼれた雨水が、その突条部２１よりも１つ軒側の突条部２１を通過することがなく、１つ軒側の突条部２１で確実に堰き止められる。よって、棟側導水板３０により多くの雨水を溜めることができるので、大量の雨水が一気に集水桝６５に流れ込むことを抑制でき、雨水が集水桝６５からこぼれることを抑制できる。
【００２９】
また、軒棟方向の軒側に配置される軒側導水板３５の複数の突条部２１に関し、突条部２１の上記法線方向の高さが略一定となっている。したがって、その複数の突条部２１の棟側で溜めることが可能な雨水の容量を大きくできる。よって、例えば、集中豪雨が発生して、大量の雨水が棟側導水板３０の複数の突条部２１を乗り越えて軒棟方向に流下して、軒側導水板３５に到達したとしても、その大量の雨水が軒先から外部に飛散することを効果的に抑制できる。なお、屋根構造は、導水板を１つも備えていなくてもよく、例えば、図５に示す屋根構造１において、全ての導水板２０を屋根材１０に取り換えてもよい。
【００３０】
以上、ケラバカバー材５０は、屋根下地と屋根材とを備えた屋根のケラバをカバーする。また、ケラバカバー材５０は、ケラバに設置された状態で、ケラバの上面をカバーする上面カバー片５２と、上面カバー片５２よりも内外方向の内側に位置する部分を有し、屋根下地と屋根材１５との間に位置する内側水切り片６１と、上面カバー片５２の外側端から下方のみに延びてケラバの側面をカバーする側面カバー片５１と、上面カバー片５２の外側端よりも内側の位置から上方に突出する突条片５５と、を備える。
【００３１】
したがって、突条片５５と側面カバー片５１との内外方向の間に内外方向に延在する上面カバー片５２の少なくとも一部（第１上面カバー片５３）が存在する。したがって、雨水が突条片５５を飛び越えたとしても、第１上面カバー片５３でその飛び越えた雨水を受け止めることができ、その雨水を第１上面カバー片５３上を軒棟方向の軒側に誘導できる。よって、雨水がケラバから下方に飛散することを抑制できる。また、外側からの雨水も、第１上面カバー片５３で受けて軒側に誘導することもできる。
【００３２】
また、特許文献１のケラバカバー材の場合、突条片５５に対応する立設板がケラバの端部に位置しているので、立設板を伝って流下してきた雨水を確実に軒樋や集水桝に収容するため、軒樋や集水桝をケラバよりも外側まで設けなければならず、美観も良くないものになり易い。これに対し、ケラバカバー材５０によれば、突条片５５がケラバの端よりも内外方向の中央側に位置するので、軒樋や集水桝をケラバの内側に納めることができる。よって、屋根構造１や家屋５をスリムで美観に優れるものにできる。
【００３３】
更には、特許文献１のケラバカバー材の場合、突条片５５に対応する立設板がケラバの端部に存在しているので、立設板を飛び越えた雨水は、内外方向の大きな速度成分を有し、ケラバから内外方向の遠方まで飛散し易い。これに対し、本開示のケラバカバー材５０の場合、雨水が第１上面カバー片５３へ接触してから下方に落下することになるので、第１上面カバー片５３に対する付着力によって雨水の内外方向の速度成分が小さくなり、雨水が内外方向の遠方まで飛散しにくい。よって、ケラバ側の下方に位置する人が雨水の影響を受けにくい。
【００３４】
また、突条片５５が、上面カバー片５２の内外方向の中央よりも内側に位置してもよい。
【００３５】
本構成によれば、上面カバー片５２において屋根材１０側から流れて突条部５５を乗り越える部分の面積を大きくでき、屋根材１０側から突条片５５を乗り越えた雨水のより多くを、上面カバー片５２の上面を伝わせて軒側に誘導できる。
【００３６】
また、突条片５５が、内外方向において、屋根材１５の端部と略同じ位置にあってもよい。
【００３７】
本構成によれば、内外方向に関して、突条片５５の位置と、屋根材１５の端部の位置とが揃うので、美観が良好なものになり易い。
【００３８】
また、上面カバー片５２の外側端が、内外方向において、ケラバの外側端と略同じ位置にあってもよい。
【００３９】
本構成によれば、軒樋や集水桝をより確実にケラバよりも内側に収めることができる。
【００４０】
また、突条片５５の鉛直方向（γ方向）の高さが、第１上面カバー片５３における内外方向（β方向）の寸法よりも小さくてもよい。
【００４１】
本構成によれば、第１上面カバー片５３の上面が、突条片５５を乗り越えた雨水を受け止め易い。よって、ケラバ側の下方に位置する人が雨水の影響を更に受けにくくなる。
【００４２】
また、ケラバカバー材５０が、複数の折曲部を有する一体の金属板で構成されてもよい。
【００４３】
本構成によれば、ケラバカバー材５０を簡単安価に製造できる。また、ケラバカバー材を溶接を用いて形成した場合との比較で、ケラバカバー材５０の水遮断性を高くできる。詳しくは、ケラバカバー材５０は、のぼり木７１側への外部雨水の浸入を防止する役割も担うが、溶接を用いて製造された場合、溶接個所が軒棟方向の長い範囲に及ぶことになるので、ピンホールが溶接個所に生じ易い。よって、雨水がそのピンホールを介してのぼり木７１側に浸入して、のぼり木７１が劣化し易くなる虞がある。これに対し、ケラバカバー材５０を、一体の金属板を折り曲げて形成する場合、ピンホールが生じることがないので、外部の雨水がケラバカバー材５０を通過してのぼり木７１側に流動することがない。よって、のぼり木７１を長期に亘って良好な状態にできる。
【００４４】
なお、本開示は、上記実施形態およびその変形例に限定されるものではなく、本願の特許請求の範囲に記載された事項およびその均等な範囲において種々の改良や変更が可能である。
【００４５】
例えば、上記実施形態では、ケラバカバー材５０が、一体の金属板を折り曲げて形成する場合について説明した。しかし、ケラバカバー材は、２以上の部材を組み合わせて形成されてもよい。例えば、図６、すなわち、変形例のケラバカバー材１５０の斜視図に示すように、ケラバカバー材１５０は、水返し部材１７０と、屋根材結合部材１８０を備えてもよい。また、水返し部材１７０が、突条片１５５と、上面カバー片１５２を有してもよく、屋根材結合部材１８０が、側面対向片１５９と、内側水切り片１６１を有してもよい。また、上面カバー片１５２が、内外方向の内方側の端部に第１係止部１５２ａを有し、側面対向片１５９が、その上端部に第２係止部１５９ａを有してもよい。そして、ケラバカバー材１５０を、第１係止部１５２ａと第２係止部１５９ａを係合することで形成してもよい。なお、第１係止部１５２ａと第２係止部１５９ａの係合には、図６に示すハゼ折りを用いてもよく、それ以外の構造、例えば、凹凸構造（インロー構造）等を用いてもよい。また、これに関連して、上記実施形態では、突条片５５が、２重に重ねられた第１及び第２板状部５５ａ及び５５ｂを含む場合について説明したが、この変形例のように、突条片１５５は、一つの板状部で構成されてもよい。
【００４６】
また、図３に示すように、内側水切り片６１が、側面カバー片５１に対して内外方向に間隔をおいて位置している場合について説明した。しかし、図７、すなわち、別の変形例のケラバカバー材２５０を正面から見たときの、そのケラバカバー材２５０の骨組を表す模式図に示すように、内側水切り片２６１が側面カバー片２５１から内外方向の内側に延在する構成でもよい。また、図３に示すように、側面カバー片５１が、上面カバー片５２の内外方向の外端から下側に延在する場合について説明した。しかし、図８、更なる変形例のケラバカバー材３５０を正面から見たときの、そのケラバカバー材３５０の骨組を表す模式図に示すように、上面カバー片３５２が、側面カバー片３５１よりも内外方向の外方に突出している部分３５２ａを有してもよい。
【００４７】
なお、図３を参照して、側面カバー片５１、上面カバー片５２、及び側面対向片５９等は、γ方向下側及びα方向の両側に開口する凹部７７を画定する。ここで、ケラバカバー材の軒側の先端部は、凹部７７のα方向の軒側開口を塞ぐか、又は小さくするように内側に折り曲げられてもよい。又は、キャップを凹部７７の軒側開口から凹部７７内に収容してもよく、キャップにおける軒側の端面で凹部７７の軒側開口を塞ぐようにしてもよい。このようにすれば、軒側下方から見たときの屋根構造１の美観を優れたものにできる。
【符号の説明】
【００４８】
１  屋根構造、  ５  家屋、  １０,１５  屋根材、  ５０,１５０,２５０,３５０  ケラバカバー材、  ５１  側面カバー片、  ５２,３５２  上面カバー片、  ５５,１５５  突条片、  ６１,１６１  内側水切り片。
【図１】
2020165192.tif 000003
【図２】
2020165192.tif 000004
【図３】
2020165192.tif 000005
【図４】
2020165192.tif 000006
【図５】
2020165192.tif 000007
【図６】
2020165192.tif 000008
【図７】
2020165192.tif 000009
【図８】
2020165192.tif 000010